(57)【要約】  【課題】  ボーリング井戸に発生する有害層、割れ目等障害を容易に取り除くためのボーリング井戸における不透水層の造成装置及びその造成方法を提供する。  【解決手段】  本発明のボーリング井戸１における不透水層造成装置３０は、掘削された孔１ａ内に発生した障害を取り除くためのものであって、前記孔内に挿入される層造成本体３１と、この層造成本体に設けられる正電極３４と、前記層造成本体に、前記正電極に対して前記層造成本体の挿入方向に所定距離離間した位置に設けられる負電極３２、３３と、前記正電極と前記負電極との間に電流を通電するための直流電源３５とからなり、前記障害の発生箇所近傍の所望の位置に前記正電極を位置させ、粘土鉱物を含む粘土溶解水１５を前記孔内に供給した状態で前記直流電源から電流を通電し、前記正電極の表面に前記粘土鉱物の粒子の付着させていくことで不透水層４０ａを造成し、前記障害を取り除いている。  【選択図】  図１
2006037385.tif 000002
【特許請求の範囲】
【請求項１】
掘削された孔（１ａ）内に発生した障害を取り除くためのボーリング井戸（１）における不透水層造成装置であって、
前記孔（１ａ）内に挿入される層造成本体（３１）と、
この層造成本体（３１）に設けられる正電極（３４）と、
前記層造成本体（３１）に、前記正電極（３４）に対して前記層造成本体（３１）の挿入方向に所定距離離間した位置に設けられる負電極（３２、３３）と、
前記正電極（３４）と前記負電極（３２、３３）の間に所定の電圧の直流電流を通電するための直流電源（３５）とからなり、
前記障害の発生箇所近傍の所望の位置に前記正電極（３４）を移動させ、粘土鉱物を含む粘土溶解水（１５）を前記孔（１ａ）内に供給しながら前記直流電源（３５）から前記正電極（３４）と前記負電極（３２、３３）の間に直流電流を通電し、前記正電極（３４）の表面に前記粘土鉱物の粒子を付着させていくことで前記障害発生箇所近傍の所望の位置に前記粒子が凝集した不透水層を造成し、前記障害を取り除くことができるようにした
ことを特徴とするボーリング井戸における不透水層造成装置。
【請求項２】
請求項１に記載されたボーリング井戸（１）における不透水層造成装置であって、
前記ボーリング井戸（１）は、前記孔（１ａ）内にストレーナー管（２０）が設けられているものであり、
前記層造成本体（３１）は、前記ストレーナー管（２０）の内周部に挿入されるものである
ことを特徴とするボーリング井戸における不透水層造成装置。
【請求項３】
請求項１又は２に記載されたボーリング井戸における不透水層造成装置であって、
前記負電極（３２、３３）は、前記正電極（３４）を挟むように、前記層造成本体（３１）の挿入方向の複数の位置に設けられている
ことを特徴とするボーリング井戸における不透水層造成装置。
【請求項４】
掘削された孔内に発生した障害を取り除くためのボーリング井戸における不透水層造成方法であって、
前記孔への層造成本体の挿入方向の所定距離離間した位置に正電極と負電極が設けられた前記層造成本体を前記孔内に挿入し、
前記障害の発生箇所近傍の所望の位置に、前記正電極を位置させ、
前記孔内に粘土鉱物を含む粘土溶解水を供給しながら、前記正電極と前記負電極の間に、直流電源から所定の電圧の直流電流を通電し、
前記正電極の表面に前記粘土鉱物の粒子を付着させていくことで前記障害発生箇所近傍の所望の位置に不透水層を造成し、
前記障害を取り除くことを可能にした
ことを特徴とするボーリング井戸における不透水層造成方法。
【請求項５】
請求項４に記載されたボーリング井戸における不透水層造成方法であって、
前記ボーリング井戸は、前記孔内にストレーナー管が設けられているものであり、
前記層造成本体は、前記ストレーナー管の内周部に挿入されるものである
ことを特徴とするボーリング井戸における不透水層造成方法。
【請求項６】
請求項４又は請求項５に記載されたボーリング井戸における不透水層造成方法であって、
前記不透水層が、前記ボーリング井戸を前記障害の発生箇所と前記障害の発生していない箇所とを分断することが可能な位置に造成されるようにした
ことを特徴とするボーリング井戸における不透水層造成方法。
【請求項７】
請求項４又は５に記載されたボーリング井戸における不透水層造成方法であって、
前記層造成本体には、前記正電極を挟むように、前記負電極が前記層造成本体の挿入方向の複数の位置に設けられているものである
ことを特徴とするボーリング井戸における不透水層造成方法。
【請求項８】
掘削された孔内に発生した障害を取り除くためのボーリング井戸における不透水層造成方法であって、
正の電極体を前記孔内に挿入し、
負の電極を前記孔の近傍の地面とし、
前記孔内の所望の位置に前記正の電極体を移動させ、
粘土鉱物を含む粘土溶解水を前記孔内に供給しながら、直流電源から前記正の電極体と前記負の電極の間に所定の電圧の直流電流を通電し、
前記正の電極体の表面に前記粘土鉱物の粒子を付着させていくことで前記障害発生箇所近傍の所望の位置に前記粒子が凝集した不透水層を造成し、
前記障害を取り除くことができるようにした
ことを特徴とするボーリング井戸における不透水層造成方法。
【請求項９】
請求項８に記載されたボーリング井戸における不透水層造成方法であって、
前記孔に隣接する位置に別のボーリング孔を掘削し、この別のボーリング孔から前記粘土鉱物を含む粘土溶解水を供給するようにした
ことを特徴とするボーリング井戸における不透水層造成方法。
【発明の詳細な説明】
【技術分野】
【０００１】
本発明は、ボーリング井戸に発生する有害層、割れ目等障害を容易に閉塞して取り除くためのボーリング井戸における不透水層の造成装置及びその造成方法に関する。さらに詳しくは、地層又は割れ目部分に粘土鉱物を溶解させた溶解水から粘土粒子を電気的に付着させることで、ボーリング井戸に発生する有害層、割れ目等を閉塞して障害を取り除くことができる不透水層の造成装置及びその造成方法に関する。
【背景技術】
【０００２】
温泉井、水井戸、地熱井等は、ボーリング井戸に、ケーシング又はストレーナー管を入れて造られ、地上又はボーリング井戸内等に設けたポンプ等で揚水する構成になっている。このストレーナー管の浅部において、低温水の湧出、有害水の湧出等の障害が発生することがあった。また、地層内に割れ目等の障害が発生することもあった。
【０００３】
これらの障害を解決するものとして次のような技術が開示されている。
止水薬液注入用ロッドの先端に圧水で脱嵌可能に装着されるブラシ材を巻き付けたプラグを止水薬液注入用ロッドで逸水・湧水箇所まで押し込み、粒状物を投下し、ロッドとプラグとを分離し、粒状物層に止水薬液を注入して固結化させるボーリング孔中間部における逸水・湧水の止水方法があった（例えば、特許文献１）。
【０００４】
また、ヘクトライトの原料成分である水ガラスと塩化マグネシウムとの酸化沈殿物、および水酸化リチウムを１〜１０ｗｔ％の濃度で含有するスラリーからなる地下亀裂閉塞材を注入して岩体に発生した亀裂中に流動させ、地下の高温環境においてヘクトライトをゲル化させて地下亀裂を閉塞させる技術もあった（例えば、特許文献２）。
【０００５】
さらに、地盤中に形成した孔内の地下水中に、エタノールを含有した溶媒とベンナイトとを混合したベンナイトスラリーを充填することにより、止水、有害物の遮蔽を行う地下構造体に関する技術もあった。（例えば、特許文献３）。
【０００６】
また、遮水壁の構築方法において、掘削孔の長さ方向に沿って正極に接続される棒状の第１の電極を設け、この第１の電極と所定の間隔を隔てた掘削孔に負極に接続される第２の電極を設け、掘削孔内に粘土、モルタルなどを懸濁したスラリー状の止水性充填物を充満し、電極間に直流を流したとき、電気浸透現象により正極側に粘土、セメントなどの粒子が移動して遮水壁を構築する技術もあった。（例えば、特許文献４）。
【０００７】
しかしながら、特許文献１の技術は、ボーリング孔の掘削中の逸水・湧水に対処するための技術であり、止水液を固結した後リーミングで再掘削するものであった。すなわち、実際に温泉などを汲み上げている温泉井などに適用できる技術でなかった。また、特許文献２の技術は、人工的に発生させた亀裂を閉塞させるための技術であり、高温環境下でしか使用できない限定的なものであった。さらに、特許文献３、４に記載された技術は、地下のごく浅い部分に遮水壁を構築するための技術であった。
【０００８】
すなわち、温泉井、水井戸、地熱井等において、低温水の湧出、有害水の湧出等の障害が発生した場合に、その障害の発生した部位すなわち任意の深さ位置のみに不透水層（閉塞層）を造成して障害を取り除くための技術はなかった。言い換えると、容易に障害の発生した部位のみに対処して障害を取り除き、温泉井、水井戸、地熱井等の仕上げ、改修等に利用できる技術がないという問題点が生じていた。
一方、ストレーナー管が、既に設置されたボーリング井戸において、低温水の湧出、有害水の湧出、地層の割れ目等の障害が発生した場合、ストレーナー管を設置したままの状態で、障害の発生した部位すなわち任意の深さ位置のみに不透水層（閉塞層）を造成して障害を取り除くための技術の確立が待望されていた。
【０００９】
【特許文献１】特公平７−１１３３１７号公報
【特許文献２】特許第２６３６２０５号公報
【特許文献３】特開平８−４９２４２号公報
【特許文献４】特公平６−１７５７３号公報
【発明の開示】
【発明が解決しようとする課題】
【００１０】
本発明は、前述したような背景のもとになされたものであり、次のような目的を達成する。
本発明の目的は、温泉井、水井戸、地熱井等に利用されるボーリング井戸において、低温水の湧出、有害水の湧出等の障害が発生した場合に、その障害の発生した部位又はその部位の近傍の所望の位置に不透水層を造成して障害を取り除くことができるボーリング井戸における不透水性層の造成装置およびその造成方法を提供することにある。
【課題を解決するための手段】
【００１１】
本発明は前記した課題を解決するために、次のような手段をとる。
本発明１のボーリング井戸の不透水層の造成装置は、
掘削された孔内に発生した障害を取り除くためのボーリング井戸における不透水層造成装置であって、
前記孔内に挿入される層造成本体と、この層造成本体に設けられる正電極と、前記層造成本体に、前記正電極に対して前記層造成本体の挿入方向に所定距離離間した位置に設けられる負電極と、前記正電極と前記負電極との間に所定の電圧の直流電流を通電するための直流電源とからなり、
前記障害の発生箇所近傍の所望の位置に前記正電極を移動させ、粘土鉱物を含む粘土溶解水を前記孔内に供給しながら前記直流電源から前記正の電極と前記負の電極の間に直流電流を通電し、前記正電極の表面に前記粘土鉱物の粒子を付着させていくことで前記障害発生箇所近傍の所望の位置に前記粒子が凝集した不透水層を造成し、前記障害を取り除くことができるようにしたことを特徴としている。
【００１２】
本発明２のボーリング井戸における不透水層造成装置は、本発明１において、
前記ボーリング井戸は、前記孔内にストレーナー管が設けられているものであり、前記層造成本体は、前記ストレーナー管の内周部に挿入されているものであることを特徴としている。
【００１３】
本発明３のボーリング井戸における不透水層造成装置は、本発明１又は２において、
前記負電極は、前記正電極を挟むように、前記層造成本体の挿入方向の複数の位置に設けられていることを特徴としている。
【００１４】
本発明４のボーリング井戸における不透水層造成方法は、
掘削された孔内に発生した障害を取り除くためのボーリング井戸における不透水層造成方法であって、
前記孔への層造成本体の挿入方向の所定距離離間した位置に正電極と負電極が設けられた前記層造成本体を前記孔内に挿入し、前記障害の発生箇所近傍の所望の位置に、前記正電極を位置させ、前記孔内に粘土鉱物を含む粘土溶解水を供給しながら、前記正電極と前記負電極の間に、直流電源から所定の電圧の直流電流を通電し、前記正電極の表面に前記粘土鉱物の粒子を付着させていくことで前記障害発生箇所近傍の所望の位置に不透水層を造成し、前記障害を取り除くことを可能にしたことを特徴としている。
【００１５】
本発明５のボーリング井戸における不透水層造成方法は、本発明４において、
前記ボーリング井戸は、前記孔内にストレーナー管が設けられているものであり、前記層造成本体は、前記ストレーナー管の内周部に挿入されているものであることを特徴としている。
【００１６】
本発明６のボーリング井戸における不透水層造成方法は、本発明４又は５において、
前記不透水層は、前記ボーリング井戸を前記障害の発生箇所と前記障害の発生していない箇所とを分断することが可能な位置に造成されるようにしたことを特徴としている。
【００１７】
本発明７のボーリング井戸における不透水層造成方法は、本発明４又は５において、
前記層造成本体には、前記正電極を挟むように、前記負電極が前記層造成本体の挿入方向の複数の位置に設けられているものである
ことを特徴としている。
【００１８】
本発明８のボーリング井戸における不透水層造成方法は、
掘削された孔内に発生した障害を取り除くためのボーリング井戸における不透水層造成方法であって、
正の電極体を前記孔内に挿入し、負の電極を前記孔の近傍の地面とし、前記孔内の所望の位置に前記正の電極体を移動させ、粘土鉱物を含む粘土溶解水を前記孔内に供給しながら、直流電源から前記正の電極体と前記負の電極の間に所定の電圧の直流電流を通電し、前記正の電極体の表面に前記粘土鉱物の粒子を付着させていくことで前記障害発生箇所近傍の所望の位置に前記粒子が凝集した不透水層を造成し、前記障害を取り除くことができるようにしたことを特徴としている。
【００１９】
本発明９のボーリング井戸における不透水層造成方法は、本発明８において、
前記孔に隣接する位置に別のボーリング孔を掘削し、この別のボーリング孔から前記粘土鉱物を含む粘土溶解水を供給するようにしたことを特徴としている。
【発明の効果】
【００２０】
本発明のボーリング井戸における不透水層造成装置及び造成方法は、簡素な装置及び簡単な方法で、所定の深度位置の障害の発生した部位近傍の所望の箇所のみに不透水層を造成して障害を取り除く作業を確実に実施することができる。
特に、ボーリング井戸改修作業時、又は、ストレーナー管が既に設けられているボーリング井戸において、ボーリング井戸内の所望の位置に不透水層を造成して、ボーリング井戸内に発生した障害を取り除く作業を確実に実施できるものとして最適なものとすることができる。
【発明を実施するための最良の形態】
【００２１】
本発明の実施の形態を図面に基づいて詳細に説明する。
図１は、本発明のボーリング井戸における不透水層造成装置を温泉井に適用した実施の形態を示す断面図、図２は、本発明のボーリング井戸における不透水層造成装置を地層に割れ目が発生したボーリング井戸に適用した実施の形態を示す断面図、図３は、本発明のボーリング井戸における不透水層造成装置を温泉井に適用した実施の形態で障害を分断して取り除く形態を示す図、図４は、本発明のボーリング井戸における不透水層造成装置を地層に割れ目が発生したボーリング井戸に適用した実施の形態で障害を分断して取り除く形態を示す図である。
【００２２】
図１に示すように、温泉井（ボーリング井戸）１が穿孔される地層１０には、温泉に適温の温水が流れている温水層である下部地下温水層１２と、下部地下温水層１２より低温度の低温水が流れている低温水層である上部地下温水層１１が存在していることがある。温泉井１では、下部地下温水層１２から温水を汲み上げるようにしているが、地層、地下温水層等の状態に変化が生じ、上部地下温水層１１と孔１ａとがつながってしまうことがある。温泉井１において、下部地下温水層１２の温水と、上部地下温水層１１の低温水とが混じってしまうことが生じると、地上、温泉井（ボーリング井戸）内等に設置されるポンプ（図示せず）で汲み上げた温水が低温化してしまう。このような場合、下部地下温水層１２の温水と上部地下温水層１１の低温水とが混じりあわないようにする必要がある。この場合に、本発明の不透水造成装置３０を適用することで、このような障害を取り除くことができる。
【００２３】
図１に示すように、本発明のボーリング井戸１における不透水層造成装置３０は、層造成本体である管体３１、第１の負電極３２、第２の負電極３３、正電極３４とからなっている。なお、層造成本体３１は、ワイヤ状、棒状等のものであってもよい。すなわち、正電極、負電極を設けることが可能で、孔１ａ内を昇降動作又は移動動作させることができるものであればよい。
ボーリング井戸１の孔１ａ内には、ストレーナー管２０又はケーシングが立設されている。ストレーナー管２０には、外周部に所定の間隔ごとにスリット、孔等が形成されている。
【００２４】
ストレーナー管２０の内周部には管体３１が設けられている。管体３１には、正電極３４が設けられている。また、管体３１には、正電極３４から管体３１の軸線方向に所定距離Ｌ（例えば、３０から５０ｃｍ）離間した位置に、すなわち、正電極３４を挟むように第１の負電極３２、第２の負電極３３が設けられている。正電極３４、負電極３２、３３は、銅線又は銅板等を管体３１に巻き付けられて構成されている。正電極３４、負電極３２、３３は、電極が構成できるものであれば、他のもので構成されていてもよい。
地上には、電池、バッテリー等である直流電源３５が設けられている。正電極３４は、直流電源３５の＋極側と電線３６で接続されている。第１の負電極３２、第２の負電極３３は、直流電源３５の−極側に電線３７で接続されている。
【００２５】
低温水層である上部地下温水層１１の深度位置を確認し、管体３１に設けられた正電極３４を、上部地下温水層１１に対応する深度位置に移動させる。すなわち、管体３１を下降させる。直流電源３５から所定の電圧（例えば、１２〜３６Ｖ）の微弱な電流（例えば、１〜２ｍＡ）を正電極３４、負電極３２、３３間に流す。このとき、孔１ａ内には、粘土鉱物（例えば、ナトリウムベントナイト）を所定の濃度（例えば、１０重量％）に溶解させた粘土溶解水１５を少しずつ供給しておく。
【００２６】
ナトリウムベントナイト（以下、ベントナイトと記載する）は、モンモリロナイトを主成分とする粘土鉱物である。
水に溶解されたベントナイトの中のナトリウムモンモリロナイト成分は、水中でコロイド状となると同時に負の電荷を持ち、正の電解質に引かれてゲル化を起こす。また、水中に正の電極を入れた場合、正の電極に引かれて電極部分に粘土状に付着する。すなわち、上部地下温水層１１の近傍のベントナイトを含む粘土溶解液１５中に正電極３４を入れて、両電極間に直流電流を流すと、正電極３４の回りにベントナイトが凝集する。すなわち、温泉井１の孔１ａ内の正電極３４を中心に、両側に負電極３２、３３を配置しているので、正電極３４の回りで、負電極３２、３３の範囲内のベントナイトを凝集させる。この過程を続けていくと、ベントナイトの凝集部分は、ストレーナー管２０の外周を超え、孔１ａ又は地層１０まで達する。すなわち、図１に示すように、上部地下温水層１１と孔１ａとの連通部分を閉塞する不透水層（閉塞層）４０ａを造成することができる。
【００２７】
図３に従って、障害の発生箇所の近傍の所望の位置に、障害の発生箇所を分断するように不透水層を造成し、障害を取り除く他の形態について説明を行う。なお、この形態の説明では、図１の説明と同じ部位に、同一の番号を付与し詳細な説明を省略している。
すなわち、図３に示す形態では、低温水層である上部地下温水層１１と、下部地下温水層１２との間に正電極３４を位置させ、不透水層４０ｃを造成するようにしている。このようにすることで、温泉井１として使用したい部分と障害の発生箇所とを上下に分断することができ、障害を取り除くことができる。この形態のようにすると、不透水層４０ｃをかなりおおまかな位置に造成しても、障害を取り除くことができる。また、図３に示すように、不透水層４０ｃを造成した後、不透水層４０ｃの上部の孔１ａの壁部とストレーナー管２０との間に、セメント液等充填材を流し込んで充填層６０を形成するとよい。このようにすることで、ボーリング井戸に生じた障害を取り除くことができる。
【００２８】
ボーリング井戸１には、穴１ａの表面（内周面）部分に割れ目（亀裂）が発生することがある。この地層１０の割れ目５０も本発明のボーリング井戸１の不透水層造成装置３０で不透水層を造成することで閉塞することができる。この割れ目を閉塞するさらに他の形態を図２に基づいて説明する。なお、この形態の説明でも、図１の説明と同じ部位に、同一の番号を付与し詳細な説明を省略している。
【００２９】
割れ目５０の深度位置を確認する。この割れ目５０に対応する深度位置に正電極３４を位置させる。すなわち、管体３１を下降させる。管体３１には、正電極３４を挟むように第１の負電極３２、第２の負電極３３が設けられている。孔１ａ内に、粘土鉱物（例えば、ナトリウムベントナイト）を所定の濃度（例えば、１０重量％）に溶解させた粘土溶解水１５を少しずつ供給しながら、両電極間に所定の電圧（例えば、１２〜３６Ｖ）の微弱な直流電流（例えば、１〜２ｍＡ）を流す。すると、正電極３４の回りにベントナイトが凝集する。すなわち、ボーリング井戸１の孔１ａ内の正電極３４を中心に、両側に負電極３２、３３を配置しているので、正電極３４の回りで、負電極３２、３３の範囲内のベントナイトを凝集させる。この過程を繰り返すことで、凝集されたベントナイトはストレーナー管２０の外周を超え、割れ目５０近傍の地層１０まで達する。すなわち、図２に示すように、ボーリング井戸１の孔１ａ内の割れ目５０の部分を閉塞する不透水層（閉塞層）４０ｂを造成することができる。
【００３０】
図４に従って、障害（割れ目）の発生箇所の近傍の所望の位置に、障害の発生箇所を分断するように不透水層を造成し、障害を取り除くさらに他の形態について説明を行う。なお、この形態の説明でも、図１、２の説明と同じ部位には、同一の番号を付与し詳細な説明を省略している。
すなわち、図４に示すように、割れ目５０等の障害の発生箇所の近傍の下部の所望の位置に正電極３４を移動（下降）させ、不透水層４０ｄを造成してもよい。このことにより、ボーリング井戸１として使用したい部分と障害の発生箇所とを上下に分断することで、障害を取り除くことができる。この形態のようにすると、正電極３４をかなりおおまかな位置に下降させて不透水層を造成しても、分断ができれば障害を取り除くことができる。また、この形態でも、図４に示すように、不透水層４０ｄを造成した後、不透水層４０ｄ上部の孔１ａの壁部とストレーナー管２０との間にセメント液等充填材を流し込んで充填層６０を形成するとよい。このようにすることで、ボーリング井戸に生じた障害を取り除くことができる。
【００３１】
このように、ストレーナー管２０を設けたままで、障害を取り除いて使用することができる。すなわち、障害を取り除く作業の作業時間（期間）の大幅な短縮が図れ、除去費用を安価にすることができる。また、装置が簡素であるとともに、作業も障害の発生している深度位置近傍の所望の位置に正電極を移動（下降）させて直流電源から所定の電圧の直流電流を通電させるという簡単な方法で実施することができるようになった。
【００３２】
以上、本発明の実施の形態について説明を行ったが、この実施の形態の説明に限定されないこともいうまでもない。上記した説明では、割れ目、ボーリング井戸と低温温水層との連通部分を閉塞するものとして説明を行っているが、他のボーリング井戸の所定の部位（部分）のみを閉塞または分断する場合等にも本発明を適用することは可能である。また、粘土鉱物も、ベントナイトで説明を行っているが、他の粘土鉱物であってもよい。
【００３３】
さらに、層造成本体に正電極、負電極を設けたものとして説明を行っているが、ボーリング井戸の孔内に正の電極棒、電極板等の電極体を挿入し、この孔の近傍の地表、地面を負の電極として直流電流を通電するようにしてもよい。この場合、ボーリング井戸の孔に隣接した位置に設けられたボーリング孔から粘土溶解水を供給するようにするとよい。このようにすることで、地層に割れ目等が発生又は発達した部位（部分）があれば、ベントナイトが正の電極体側に引かれて付着することで地層の割れ目を閉塞することができる。
【００３４】
その他、本発明の目的、趣旨を逸脱しない範囲内でいろいろな形状、材質のものに変更可能であることはいうまでもない。
【図面の簡単な説明】
【００３５】
【図１】図1は、本発明のボーリング井戸の不透水層の造成装置を温泉井に適用した実施の形態で、障害を直接取り除く形態を示す断面図である。
【図２】図２は、本発明のボーリング井戸の不透水層の造成装置を温泉井に適用した実施の形態で、障害を分断して取り除く形態を示す断面図である。
【図３】図３は、本発明のボーリング井戸の不透水層の造成装置を割れ目が生じたボーリング井戸に適用した実施の形態で、障害を直接取り除く形態を示す断面図である。
【図４】図４は、本発明の他のボーリング井戸の不透水層の造成方法を割れ目が生じたボーリング井戸に適用した実施の形態で、障害を分断して取り除く形態を示す断面図である。
【符号の説明】
【００３６】
１  …ボーリング井戸（温泉井）
１０…地層
１１…上部地下温水層
１２…下部地下温水層
１５…粘土溶解水
２０…ストレーナー管
３０…不透水層造成装置
３１…層造成本体（管体）
３２…第１の負電極
３３…第２の負電極
３４…正電極
３５…直流電源
４０ａ、４０ｂ、４０ｃ、４０ｄ…不透水層
５０…割れ目
【図１】
2006037385.tif 000003
【図２】
2006037385.tif 000004
【図３】
2006037385.tif 000005
【図４】
2006037385.tif 000006